(57)【要約】【課題】操作によらない画像を表示する表示モードと、操作によって表示画像を変更させる表示モードを状況に合わせて自動的に切り換える。【解決手段】据え置き状態とハンディ状態とのいずれにあるかを検出する検出手段としての接点検出部１７と、画像を表示する表示手段である表示部１２と、前記表示手段の表示画面に設けられ、操作入力を受け付ける入力手段と、前記検出手段により据え置き状態が検出されると前記入力手段からの操作入力に関わらない画像情報を前記表示手段へ表示する第１の表示モードの制御を行い、前記検出手段によりハンディ状態が検出されると前記入力手段からの操作入力を受ける画像情報を前記表示手段へ表示する第２の表示モードの制御を行う制御手段３１とを具備する。【選択図】図１
2014038431.tif 000002
【特許請求の範囲】
【請求項１】
据え置き状態とハンディ状態とのいずれにあるかを検出する検出手段と、
画像を表示する表示手段と、
前記表示手段の表示画面に設けられ、操作入力を受け付ける入力手段と、
前記検出手段により据え置き状態が検出されると前記入力手段からの操作入力に関わらない画像情報を前記表示手段へ表示する第１の表示モードの制御を行い、前記検出手段によりハンディ状態が検出されると前記入力手段からの操作入力を受ける画像情報を前記表示手段へ表示する第２の表示モードの制御を行う制御手段と
を具備することを特徴とするハンディターミナル。
【請求項２】
据え置き状態においてバッテリー充電のための接点と接続する接点を備え、
検出手段は、前記接点が接続された状態か切り離し状態かに応じて、据え置き状態とハンディ状態とのいずれにあるかを検出することを特徴とする請求項１に記載のハンディターミナル。
【発明の詳細な説明】
【技術分野】
【０００１】
この発明は、各種のタブレット端末、スマートフォンなどのように、画像の表示を行う画面が入力画面になるハンディターミナルに関するものである。
【背景技術】
【０００２】
上記のハンディターミナルは、画面に表示された画像を見ながら画面の入力位置を操作して次の画像を表示するような使い方がされている。つまり、画面操作により所望の表示をさせてゆくことがハンディターミナルの使用形態の基本となっている。
【０００３】
一方、美容室等の接客業においては、来客時に直ちに上記のようなハンディターミナルを客へ渡し、操作により楽しんでもらうことも考えられるが、店舗の窓辺や待合場所等に置いてメニュー画面を表示しておくのでは客寄せ効果が少ない。
【０００４】
従って、上記のような状況において当初は来店する客の興味を引き、その後において客が自由に操作を行って好みに応じて楽しむことができるようなハンディターミナルが求められている。
【０００５】
これに対し、使用環境に応じて表示を切り換える電子端末がカーナビゲーション装置を中心として見受けられるが、これでは上記のような客対応の使用には不十分である（特許文献１、２参照、）。
【先行技術文献】
【特許文献】
【０００６】
【特許文献１】特開２０１０−１９０５９４号公報
【特許文献２】特開２００７−２４５８６８号公報
【発明の概要】
【発明が解決しようとする課題】
【０００７】
本発明はこのようなハンディターミナルにおける現状に鑑みてなされたもので、その目的は、操作によらない画像を表示する表示モードと、操作によって表示画像を変更させる表示モードを状況に合わせて自動的に切り換えて、客の心理や要求に適切に対応することが可能なハンディターミナルを提供することである。
【課題を解決するための手段】
【０００８】
本発明に係るハンディターミナルは、据え置き状態とハンディ状態とのいずれにあるかを検出する検出手段と、画像を表示する表示手段と、前記表示手段の表示画面に設けられ、操作入力を受け付ける入力手段と、前記検出手段により据え置き状態が検出されると前記入力手段からの操作入力に関わらない画像情報を前記表示手段へ表示する第１の表示モードの制御を行い、前記検出手段によりハンディ状態が検出されると前記入力手段からの操作入力を受ける画像情報を前記表示手段へ表示する第２の表示モードの制御を行う制御手段とを具備することを特徴とする。
【０００９】
据え置き状態においてバッテリ充電のための接点と接続する接点を備え、検出手段は、前記接点が接続された状態か切り離し状態かに応じて、据え置き状態とハンディ状態とのいずれに
あるかを検出することを特徴とする。
【発明の効果】
【００１０】
本発明に係るハンディターミナルによれば、据え置き状態が検出されると前記入力手段からの操作入力に関わらない画像情報を前記表示手段へ表示する第１の表示モードとなり、ハンディ状態が検出されると前記入力手段からの操作入力を受ける画像情報を前記表示手段へ表示する第２の表示モードとなるので、客の心理や要求に適切に対応することが可能である。
【００１１】
例えば美容室においては、据え置き状態で映画や音楽等の広告表示として利用することができ、ハンディ状態では、ヘアカタログを操作に応じてスクロールして表示させて選択してもらうように使用することができる。また、飲食店では、据え置き状態でニュースや占いの画像を表示し、ハンディ状態では、店内の注文端末として利用することができる。また、図書館においては、据え置き状態で地域のお知らせなどの表示として利用し、ハンディ状態では書籍の検索端末として利用することができる。更に、自動車ディーラにおいては、据え置き状態で自動車広告表示として利用することができ、ハンディ状態ではＷｅｂ閲覧を行うなどにより情報端末として利用することができる。
【図面の簡単な説明】
【００１２】
【図１】本発明の実施形態に係るハンディターミナルの構成を示すブロック図。
【図２】本発明の実施形態に係るハンディターミナルの据え置き状態とハンディ状態を示す正面図。
【発明を実施するための形態】
【００１３】
以下添付図面を参照して、本発明に係るハンディターミナルの実施形態を説明する。各図において、同一の構成要素には、同一の符号を付して重複する説明を省略する。図１は、実施形態に係るハンディターミナル１０の構成と、ハンディターミナル１０に対し充電を行うクレードル５０との構成を示すブロック図である。ハンディターミナル１０は、メモリを含むＣＰＵ１１によって制御されるものであり、ＣＰＵ１１には、画像を表示する表示手段としての表示部１２へ画像情報を与える表示制御部１３と、表示部１２の表示画面に設けられ、操作入力を受け付ける入力手段としてのタッチパネル入力部１４と、無線（或いは有線）回線を介して通信を行う通信部１５と、データを格納するための記憶部１６、接点検出部１７が接続されている。また、ＣＰＵ１１には、音声制御部を介してスピーカが接続され、音声出力を行うことができる。
【００１４】
接点検出部１７は、電流検出センサや近接センサなどにより構成され、据え置き状態とハンディ状態とのいずれにあるかを検出する検出手段を構成する。ここで、据え置き状態とは、ハンディターミナル１０の所定部が、クレードル５０或いは、床、天井、壁や机上等に接触して設置された状態であり、ここでクレードル５０にハンディターミナル１０がセットされ給電を受けている状態を指す。しかしながら、一般的には据え置き状態とは、給電の有無やハンディターミナル１０の姿勢が縦置きか横置きかなどを問わず、ハンディターミナル１０の所定部が所定位置に接触していれば良い。ハンディ状態とは、上記据え置き状態から脱した状態を指す。検出手段は、このいずれかの状態を検出するセンサにより構成される。
【００１５】
また、ハンディターミナル１０には、バッテリ１８、電力の供給を制御する電源制御部１９、接点２１が備えられている。接点２１からはクレードル５０側から充電電流が流され、この充電電流により電源制御部１９を介してバッテリ１８が充電される。バッテリ１８の電力は、電源制御部１９によりＣＰＵ１１を始めとする各部へ供給される。
【００１６】
クレードル５０は、ハンディターミナル１０の例えば接点２１側の一部を収納する凹部を有し、ハンディターミナル１０を立った状態にて凹部に保持し、ハンディターミナル１０を据え置き状態とする筐体５１を備えている。筐体５１には接点５２が設けられ、ハンディターミナル１０を筐体５１において図２（ａ）に示すように据え置き状態とすると、この接点５２はハンディターミナル１０の接点２１と接触する。これとは逆に、ハンディターミナル１０をクレードル５０の筐体５１から引き抜いた図２（ｂ）に示すハンディ状態では、接点５２はハンディターミナル１０の接点２１と非接触状態となる。
【００１７】
クレードル５０には、接点５２に接続された電源コネクタ５３が設けられており、この電源コネクタ５３はＡＣアダプタ５５に接続されている。ＡＣアダプタ５５は、商用電源にコンセントを介して接続され、ＡＣ／ＤＣ変換により所定電圧を作り出し電源コネクタ５３へ与える。
【００１８】
ＣＰＵ１１には、プログラムにより実現される制御手段３１が備えられている。制御手段３１は、検出手段により据え置き状態が検出されると前記入力手段からの操作入力に関わらない画像情報を前記表示手段へ表示する第１の表示モードの制御を行い、前記検出手段によりハンディ状態が検出されると前記入力手段からの操作入力を受ける画像情報を前記表示手段へ表示する第２の表示モードの制御を行うものである。
【００１９】
第１の実施形態では、映画や音楽等の広告表示に係る画像情報と、スクロール操作等を受け付けるための入力操作制御情報と共にヘアカタログの画像が記憶部１６に記憶されている。この実施形態によれば、接点検出部１７により据え置き状態が検出されると、制御手段３１は接点検出部１７より据え置き状態の通知を受けて記憶部１６に記憶されている映画や音楽等の広告表示に係る画像情報を取り出し、表示制御部１３へ送って表示部１２に映画や音楽等の広告表示に係る画像を表示させる。一方、接点検出部１７によりハンディ状態が検出されると、制御手段３１は接点検出部１７よりハンディ状態の通知を受けて記憶部１６に記憶されているスクロール操作等を受け付けるための入力操作制御情報と共にヘアカタログの画像を取り出し、表示制御部１３へ送って表示部１２にヘアカタログの画像を表示させる。そして制御手段３１は、スクロール操作等を受け付けるための入力操作制御情報に対応するスクロール操作がタッチパネル入力部１４において検出されると、ヘアカタログの画像をスクロールする等の表示制御を行い、ヘアカタログの画像を更新するなどして表示を行う。
【００２０】
第２の実施形態では、ニュースや占いの画像情報と、飲食店が提供する食品の画像がスクロール操作等を受け付けるための入力操作制御情報と共に記憶部１６に記憶されている。この実施形態によれば、接点検出部１７により据え置き状態が検出されると、制御手段３１は接点検出部１７より据え置き状態の通知を受けて記憶部１６に記憶されているニュースや占いの画像情報を取り出し、表示制御部１３へ送って表示部１２にニュースや占いの画像を表示させる。一方、接点検出部１７によりハンディ状態が検出されると、制御手段３１は接点検出部１７よりハンディ状態の通知を受けて記憶部１６に記憶されている飲食店が提供する食品の画像とスクロール操作等を受け付けるための入力操作制御情報を取り出し、表示制御部１３へ送って表示部１２に食品の画像を表示させる。そして制御手段３１は、スクロール操作等を受け付けるための入力操作制御情報に対応する入力操作がタッチパネル入力部１４において検出されると、飲食店が提供する食品の画像をスクロールする等の表示制御を行い、飲食店が提供する食品の画像を更新するなどして表示を行う。
【００２１】
第３の実施形態では、地域のお知らせの画像情報と、書籍の名称と収納書棚の位置情報をジャンルや著者名等から検索するためのデータベース及びこのデータベースの検索画面画像情報と入力する文字キー力操作等を受け付けるための入力操作制御情報が記憶部１６に記憶されている。この実施形態によれば、接点検出部１７により据え置き状態が検出されると、制御手段３１は接点検出部１７より据え置き状態の通知を受けて記憶部１６に記憶されている地域のお知らせの画像情報を取り出し、表示制御部１３へ送って表示部１２に地域のお知らせの画像を表示させる。一方、接点検出部１７によりハンディ状態が検出されると、制御手段３１は接点検出部１７よりハンディ状態の通知を受けて記憶部１６に記憶されているデータベースの検索画面画像情報と入力操作制御情報を取り出し、表示制御部１３へ送って表示部１２にデータベースの検索画面画像を表示させる。これにより、表示制御部１３の画面には、例えば、「検索する書籍の名称、著者、ジャンル・・を入力して下さい。」などのアナウンス表示と共に、データベース検索用の入力欄と文字キー及び検索指示キーなどが適宜位置に表示される。これに応じて、対応する入力操作がタッチパネル入力部１４において検出されると、制御手段３１によって文字入力の受付と表示がなされ、検索指示キーの操作に応じてデータベースの検索がなされ、書籍の名称と収納書棚の位置情報が表示制御部１３の画面に表示される。このように本実施形態のハンディターミナルは、図書館においては、据え置き状態で地域のお知らせなどの表示として利用され、ハンディ状態では書籍の検索端末として利用される。
【００２２】
第４の実施形態では、自動車広告表示に係る画像情報と、Ｗｅｂ閲覧用のブラウザが記憶部１６に記憶されている。この実施形態によれば、接点検出部１７により据え置き状態が検出されると、制御手段３１は接点検出部１７より据え置き状態の通知を受けて記憶部１６に記憶されている自動車広告表示に係る画像情報を取り出し、表示制御部１３へ送って表示部１２に自動車広告の画像を表示させる。一方、接点検出部１７によりハンディ状態が検出されると、制御手段３１は接点検出部１７よりハンディ状態の通知を受けて記憶部１６に記憶されているＷｅｂ閲覧用のブラウザを取り出し起動する。これにより、ブラウザによる通信部１５を介しての制御処理が開始され、表示制御部１３にはＷｅｂ閲覧用の初期画面が表示される。初期画面にいて、所要のサイトなどへ移行するための入力操作がタッチパネル入力部１４において検出されると、対応する処理が行われＷｅｂアクセスによる結果の表示が表示制御部１３においてなされる。
【００２３】
以上の通り各実施形態によれば、据え置き状態が検出されると入力手段からの操作入力に関わらない画像情報を表示手段へ表示する第１の表示モードとなり、ハンディ状態が検出されると入力手段からの操作入力を受ける画像情報を表示手段へ表示する第２の表示モードとなる。これにより、客などがハンディターミナルを手元に取れないなどの据え置き状態では、特に操作入力を行わなくとも所定の表示により情報を提供でき、また、客などがハンディターミナルを手元に取ることにより、客等の所望により自らが操作入力を行って必要な情報を得ることができ、客等の要求に適切に対応することが可能である。
【００２４】
上記の各実施形態では、美容室が提供するヘアカタログ、飲食店が提供する食品、図書館において提供する情報、自動車ディーラにおいて提供する情報について、それぞれの画像を説明したが、店舗や使用目的に応じて、衣服や靴のカタログの画像、ネイルアートの画像等の所要の画像を記憶部１６に記憶しておくことができる。勿論、画像などの表示に用いる情報は、記憶部１６からではなくネットワークなどから得るようにしても良い。また、操作のための制御情報は、スクロールキー操作のものに限ることなく、画面に表示した番号によってカタログ画像を選択したり、サムネイル画像を画面の一部に表示して選択操作する制御情報であっても良い。また、画像のページを変更させるキーを表示して操作することを制御情報としても良い。
【符号の説明】
【００２５】
１０  ハンディターミナル
１２  表示部
１３  表示制御部
１４  タッチパネル入力部
１５  通信部
１６  記憶部
１７  接点検出部
１８  バッテリ
１９  電源制御部
２１  接点
３１  制御手段
５０  クレードル
５１  筐体
５２  接点
５３  電源コネクタ
５５  アダプタ
【図１】
2014038431.tif 000003
【図２】
2014038431.tif 000004